(57)【特許請求の範囲】
【請求項１】
バルコニーの壁を構成するバルコニー用壁パネルであって、
バルコニーの側壁を構成するバルコニー側壁用壁パネルと、このバルコニー側壁用壁パネルと接合されるバルコニー正面壁用壁パネルとを備えており、
壁パネルの表面下端部に、延出板が該壁パネルの下端から下方に延出するようにして設けられており、
前記壁パネルの表面に、外壁仕上材が該壁パネルの表面を覆うように設けられており、
前記外壁仕上材の下端部は、前記壁パネルの下端から下方に突出し、かつ、前記延出板の下端より上方に配置されており、
前記バルコニー側壁用壁パネルの壁パネルに設けられる延出板は、該バルコニー側壁用壁パネルの壁パネルの両側端から側方に延出するようにして設けられており、
これら双方の延出部分のうち、前記バルコニー正面壁用壁パネル側に位置する延出部分は、前記バルコニー正面壁用壁パネルの壁パネルの厚みに相当する長さに設定されていることを特徴とするバルコニー用壁パネル。
【請求項２】
請求項１記載のバルコニー用壁パネルにおいて、
前記外壁仕上材は、胴縁を介して前記壁パネルの表面に設けられており、
前記延出板の厚さが、前記胴縁の厚さ以下とされていることを特徴とするバルコニー用壁パネル。
【請求項３】
請求項１または２記載のバルコニー用壁パネルにおいて、
前記壁パネルの表面上端部には、防水シートが該壁パネルの上端から上方に延出するようにして設けられていることを特徴とするバルコニー用壁パネル。
【請求項４】
請求項１〜３のいずれかに記載のバルコニー用壁パネルにおいて、
前記壁パネルの裏面下端部には、該壁パネルを床部に接合する際に、接合部材を挿入し締め付け操作するための穴が形成されていることを特徴とするバルコニー用壁パネル。
【請求項５】
請求項１〜４のいずれかに記載のバルコニー用壁パネルと、床部との接合構造であって、
前記床部の上面縁部には、前記バルコニー用壁パネルがその延出板を前記床部の端面に当接した状態で設置され、この状態で前記床部とバルコニー用壁パネルとが接合されていることを特徴とするバルコニー用壁パネルと床部との接合構造。
【請求項６】
請求項４記載のバルコニー用壁パネルと、床部との接合構造であって、
前記床部の上面縁部には、前記バルコニー用壁パネルがその延出板を前記床部の端面に当接した状態で設置され、この状態で前記床部とバルコニー用壁パネルとが接合されてなり、
この接合は、床部の下面からバルコニー用壁パネルを貫通して、該バルコニー用壁パネルの内部に突出している連結ボルトに、前記穴からナットを挿入して該ナットを螺合して締め付けることで行われていることを特徴とするバルコニー用壁パネルと床部との接合構造。
【発明の詳細な説明】
【０００１】
【発明の属する技術分野】
本発明は、バルコニーの壁を構成する壁パネルに関するものである。
【０００２】
【背景の技術】
住宅の構築においては、その工業化が進み、例えば、壁や床、屋根といった構成要素を予め工場にてパネル化しておき、施工現場でこれらのパネルを組み立てることにより、住宅を構築するといったパネル工法が一部に採用されている。
このパネル工法において、建物の壁を構築する場合に使用される壁パネルは、框材を矩形枠状に組み付け、その内側に補強桟材を縦、横もしくは縦横に組み付けてなる枠体の表裏両面に合板等の面材を取り付けることで構成されている。
【０００３】
そして、例えば特開平６−５７８１５号公報に示すように、このようなパネル工法により、バルコニーを施工する技術が知られている。
すなわち、この技術においては、パネル工法による２階建てや３階建てのプレファブ住宅において、１階等の下層階部分の上に、その建物本体の外壁パネルにバルコニー床パネル及びその上の左右のバルコニー側面壁パネルを接合するとともに、バルコニー正面壁パネルを接合し、これら側面壁パネル及び正面壁パネルの外側面と、バルコニー床パネルの端面とを覆うようにして、胴縁を介して外壁仕上材を設けることにより、バルコニーを施工している。
【０００４】
【発明が解決しようとする課題】
ところで、近年、パネル工法についての工業化を進めるべく、工場等において予め外壁仕上材（サイディング）を壁パネルに取り付けておき、この外壁仕上材付き壁パネルを建築現場で組み立てることでバルコニーを施工したいという要望があった。
しかし、従来の技術では、以下に述べるような理由によって、バルコニーの施工に用いられる壁パネルに外壁仕上材を予め取り付けることができなかった。
すなわち、前述の通り、外壁仕上材はバルコニー床パネルの端面を覆うようにして設けられるため、外壁仕上材を予め壁パネルに取り付けるには、外壁仕上材の下端部が壁パネルの下端から下方に突出するようにして、外壁仕上材を壁パネルに取り付ける必要がある。
しかし、壁パネルを作業現場に運搬する際や、現場での作業の際に、この突出部分に外力が加わることにより、該突出部分に亀裂や割れが生じる可能性があった。特に、バルコニー用の壁パネルは、作業現場でクレーン等で吊上げてバルコニー施工場所に搬送されているので、この搬送中や設置する際に、外壁仕上材の突出部分が建築中の建物にぶつかる場合があり、この場合においても、外壁仕上材に亀裂や割れの生じる可能性があった。
そして、外壁仕上材に亀裂や割れが生じると、外壁仕上材を張り直す必要があり、非常に手間がかかることになるので、現状では、壁パネルに外壁仕上材を予め取り付けることは行っていなかった。
【０００５】
本発明は上記事情に鑑みてなされたもので、壁パネルに外壁仕上材を予め取り付けた状態でバルコニーを施工することができるバルコニー用壁パネル及びこのバルコニー用壁パネルと床部との接合構造を提供することを課題としている。
【０００６】
【課題を解決するための手段】
以上の課題を解決すべく請求項１記載のバルコニー用壁パネルは、例えば図１及び図３に示すように、バルコニーの壁を構成するバルコニー用壁パネルであって、
バルコニーの側壁を構成するバルコニー側壁用壁パネル１０，１０と、このバルコニー側壁用壁パネル１０，１０と接合されるバルコニー正面壁用壁パネル３０とを備えており、
壁パネル１１，３１の表面（面材）１１ｂ，３１ｂ下端部に、延出板１４，３４が該壁パネル１１，３１の下端から下方に延出するようにして設けられており、
前記壁パネル１１，３１の表面に、外壁仕上材１３，３３が該壁パネル１１，３１の表面１１ｂ，３１ｂを覆うように設けられており、
前記外壁仕上材１３，３３の下端部１３ａ，３３ａは、前記壁パネル１１，３１の下端から下方に突出し、かつ、前記延出板１４，３４の下端より上方に配置されており、
前記バルコニー側壁用壁パネル１０の壁パネル１１に設けられる延出板１４は、該バルコニー側壁用壁パネル１０の壁パネル１１の両側端から側方に延出するようにして設けられており、
これら双方の延出部分のうち、前記バルコニー正面壁用壁パネル３０側に位置する延出部分は、前記バルコニー正面壁用壁パネル３０の壁パネル３１の厚みに相当する長さに設定されていることを特徴とする。
【０００７】
ここで、壁パネル１１としては、框材を矩形枠状に組み付け、その内側に補強桟材を縦、横もしくは縦横に組み付けてなる枠体１１ａの表裏両面に合板等の面材１１ｂ，１１ｃを取り付けることで構成されているものが一般的である。また、このような壁パネルを複数枚連結した壁パネル３１もある。
また、延出板１４，３４は、合板等で構成されている。そして、この延出板１４，３４は、前記壁パネル１１，３１の表面１１ｂ，３１ｂの一方の側端から他方の側端にわたって連続的に設けられるのが好ましい。
また、外壁仕上材１３，３３の素材としては、例えば軽量気泡コンクリート等がある。
【０００８】
請求項１記載のバルコニー用壁パネルにおいては、壁パネル１１，３１の表面下端部に、延出板１４，３４を該壁パネル１１，３１の下端から下方に延出するようにして設け、かつ、前記壁パネル１１，３１の下端から下方に突出した外壁仕上材１３，３３の下端部１３ａ，３３ａは、前記延出板１４，３４の下端より上方に配置されているので、前記外壁仕上材１３，３３の下端部１３ａ，３３ａがその裏側から延出板１４，３４によって補強されることになる。したがって、このようなバルコニー用壁パネル１１，３１を搬送したり取り扱う際に、外壁仕上材１３，３３の下端部１３ａ，３３ａにある程度の外力が作用しても、この外力に耐えることができる。よって、外壁仕上材１３，３３を、その下端部１３ａ，３３ａを壁パネル１１，３１の下端部から下方に突出させて壁パネル１１，３１に予め取り付けた状態で、バルコニー１を施工することができる。
【０００９】
また、このようなバルコニー用壁パネルを、バルコニー１の床部（バルコニー用床パネル）５０の上面縁部に、前記延出板１４，３４を前記床部５０の端面に当接した状態で設置し、この状態で前記床部５０とバルコニー用壁パネルとを連結することで、前記外壁仕上材１３，３３の下端部１３ａ，３３ａが床部の端面の少なくとも一部を覆った状態でバルコニー１の壁を構築することができる。したがって、現場で外壁仕上材１３，３３を設ける作業を省略または簡略化できる。
【００１０】
また、前記外壁仕上材１３，３３の下端部１３ａ，３３ａは、前記延出板１４，３４の下端より上方に配置されているので、すなわち、前記延出板１４，３４の下端には、前記外壁仕上材１３，３３の下端部１３ａ，３３ａより下方に延出している露出部（下端部）１４ａ，３４ａが設けられているので、前記延出板１４，３４を前記床部５０の端面に当接した状態で、前記延出板１４，３４の露出部１４ａ，３４ａから前記床部５０の端面に向かって釘等の止着材（釘）１４ｂ，３４ｂを打ち込むことで、前記延出板１４，３４を前記床部５０に固定することができる。
【００１１】
請求項２記載のバルコニー用壁パネルは、例えば図１及び図３に示すように、請求項１記載のバルコニー用壁パネルにおいて、
前記外壁仕上材１３，３３は、胴縁１２，１２，３２，３２を介して前記壁パネル１１，３１の表面に設けられており、
前記延出板１４，３４の厚さが、前記胴縁１２，１２，３２，３２の厚さ以下とされていることを特徴とする。
【００１２】
請求項２記載のバルコニー用壁パネルにおいては、前記外壁仕上材１３，３３が、胴縁１２，１２，３２，３２を介して前記壁パネル１１，３１の表面に設けられており、前記延出板１４，３４の厚さが、前記胴縁１２，１２，３２，３２の厚さ以下とされているので、前記壁パネル１１，３１の表面と、前記外壁仕上材１３，３３との間隔を前記胴縁１２，１２，３２，３２の厚さに揃えることができる。すなわち、前記外壁仕上材１３，３３を、胴縁１２，１２，３２，３２を介して前記壁パネル１１，３１の表面に設けることで、前記延出板１４，３４の厚さによらず前記壁パネル１１，３１に対する前記外壁仕上材１３，３３の位置を一定にできる。
【００１３】
請求項３記載のバルコニー用壁パネルは、例えば図１及び図３に示すように、請求項１または２記載のバルコニー用壁パネルにおいて、
前記壁パネル１１，３１の表面上端部には、防水シート１９，３９が該壁パネル１１，３１の上端から上方に延出するようにして設けられていることを特徴とする。
ここで、防水シート１９，３９が前記壁パネル１１，３１の上端から上方に延出している部分の長さは、該延出部分１９ａ，３９ａで前記壁パネル１１，３１の上側端面から裏面の少なくとも上端部にわたって覆うことができる程度の長さであればよい。
【００１４】
請求項３記載のバルコニー用壁パネルにおいては、前記壁パネル１１，３１の表面上端部に、防水シート１９，３９が該壁パネル１１，３１の上端から上方に延出するようにして設けられているので、この防水シート１９，３９の延出部分１９ａ，３９ａを、前記壁パネル１１，３１の上端部から裏面の少なくとも上端部にわたって覆うようにして取り付けることで、壁パネル１１，３１の上端部防水加工を容易に行うことができる。
【００１５】
請求項４記載のバルコニー用壁パネルは、例えば図１及び図３に示すように、請求項１〜３のいずれかに記載のバルコニー用壁パネルにおいて、
前記壁パネル１１，３１の裏面下端部には、該壁パネル１１，３１を床部５０に接合する際に、接合部材（胴差ボルト、座金、ナット）６０，６３，６４，７０，７３，７４を挿入し締め付け操作するための穴１６・・・，３６・・・が形成されていることを特徴とする。
ここで、接合部材６０，６３，６４，７０，７３，７４としては、例えば床部５０の下面からバルコニー用壁パネルを貫通して、該バルコニー用壁パネルの内部に突出する連結ボルト（胴差ボルト）６０，７０及び該連結ボルト６０，７０に螺合するナット６４，７３を使用することができる。また、ナット６４，７３の締め付け操作にはラジェットレンチ等を用いることができる。
【００１６】
請求項４記載のバルコニー用壁パネルにおいては、前記壁パネル１１，３１の裏面下端部には、該壁パネル１１，３１を床部に接合する際に、接合部材６０，６３，６４，７０，７３，７４を挿入し締め付け操作するための穴１６・・・，３６・・・が形成されているので、バルコニー１の床部５０の上面縁部に、前記バルコニー用壁パネルを前記延出板１４，３４が前記床部５０の端面に当接された状態で設置し、この状態で前記床部５０とバルコニー用壁パネルとを接合するに際し、前記穴１６・・・，３６・・・から接合部材６０，６３，６４，７０，７３，７４を挿入して締め付けることで、前記床部５０と前記バルコニー用壁パネルとを接合できる。
また、前記壁パネル１１，３１の裏面１１ｃ，３１ｃは、バルコニー１の内側を向くので、作業者はバルコニー１の床部５０上で接合作業を行うことができ、よって安全に接合作業を行うことができる。
【００１７】
請求項５記載のバルコニー用壁パネルと床部５０との接合構造は、例えば図５及び図６に示すように、請求項１〜４のいずれかに記載のバルコニー用壁パネルと、床部５０との接合構造であって、
前記床部５０の上面縁部には、前記バルコニー用壁パネルがその延出板１４，３４を前記床部５０の端面に当接した状態で設置され、この状態で前記床部５０とバルコニー用壁パネルとが接合されていることを特徴とする。
【００１８】
請求項５記載のバルコニー用壁パネルと床部との接合構造においては、前記床部５０の上面縁部には、前記バルコニー用壁パネルがその延出板１４，３４を前記床部５０の端面に当接した状態で設置されているので、床部５０に対するバルコニー用壁パネルの位置決めを容易かつ確実に行うことができる。また、前記外壁仕上材１３，３３の下端部１３ａ，３３ａが前記床部５０の端面の少なくとも一部を覆った状態となっているので、現場で外壁仕上材１３，３３を設ける作業を省略または簡略化できる。
【００１９】
請求項６記載のバルコニー用壁パネルと床部との接合構造は、例えば図５及び図６に示すように、請求項４記載のバルコニー用壁パネルと、床部５０との接合構造であって、
前記床部５０の上面縁部には、前記バルコニー用壁パネルがその延出板１４，３４を前記床部５０の端面に当接した状態で設置され、この状態で前記床部５０とバルコニー用壁パネルとが接合されてなり、
この接合は、床部５０の下面からバルコニー用壁パネルを貫通して、該バルコニー用壁パネルの内部に突出している連結ボルト（胴差ボルト）６０，７０に、前記穴１６，３６からナット６４，７３を挿入して該ナット６４，７３を螺合して締め付けることで行われていることを特徴とする。
【００２０】
請求項６記載のバルコニー用壁パネルと床部５０との接合構造においては、前記床部５０の上面縁部には、前記バルコニー用壁パネルがその延出板１４，３４を前記床部５０の端面に当接した状態で設置されているので、床部５０に対するバルコニー用壁パネルの位置決めを容易かつ確実に行うことができる。また、前記外壁仕上材１３，３３の下端部１３ａ，３３ａが前記床部５０の端面の少なくとも一部を覆った状態となっているので、現場で外壁仕上材１３，３３を設ける作業を省略または簡略化できる。
【００２１】
また、前記床部５０の下面からバルコニー用壁パネルを貫通して、該バルコニー用壁パネルの内部に突出している連結ボルト６０，７０に、前記穴１６，３６からナット６４，７３を挿入して該ナット６４，７３を螺合して締め付けることにより、前記床部５０と前記バルコニー用壁パネルとを容易かつ確実に接合できる。
また、前記壁パネル１１，３１の裏面１１ｃ，３１ｃは、バルコニー１の内側を向くので、作業者はバルコニー１の床部５０上で接合作業を行うことができ、よって安全に接合作業を行うことができる。
【００２２】
【発明の実施の形態】
以下に、本発明の実施の形態を図に基づいて説明する。
本実施の形態においては、図９に示すように、建物２の上階にバルコニー１を施工している。なお、図９はバルコニー１の外観を示した斜視図である。
建物２は、パネル工法により構築されるプレファブ住宅である。すなわち、建物２の壁や床、屋根といった構成要素を予め工場にてパネル化しておき、施工現場でこれらのパネルを組み立てることにより、建物２が構築される。
そして、バルコニー１は、建物２の外壁２ａから突出するとともに、下層階の上に連続して構成されている。また、外壁２ａがバルコニー１に面している部分には、開口４と、その開口４を開閉する窓４ａが設けられている。
【００２３】
ここで、外壁２ａは、框材を矩形枠状に組み付け、その内側に補強桟材を縦、横もしくは縦横に組み付けてなる枠体の表裏両面に合板等の面材を取り付けることで構成されている壁パネルを複数接合してなる大型壁パネルの表面に、外壁仕上材を設けることで構成されている。
【００２４】
バルコニー１は、図８及び図９に示すように、バルコニーの床部を構成するバルコニー用床パネル５０、バルコニーの側壁を構成するバルコニー側壁用壁パネル（バルコニー用壁パネル）１０，１０、バルコニー正面壁用壁パネル（バルコニー用壁パネル）３０等で構成されている。そして、これらバルコニー用床パネル５０、バルコニー側壁用壁パネル１０、バルコニー正面壁用壁パネル３０は、工場で生産されるものである。
【００２５】
以下、バルコニー１を構成する各要素の構成について図１〜図９に基づいて説明する。なお、図１はバルコニー正面壁用壁パネル３０の縦断面図であり、図２はバルコニー正面壁用壁パネル３０の正面図であり、図３はバルコニー側壁用壁パネル１０の縦断面図であり、図４はバルコニー側壁用壁パネル１０の正面図であり、図５は床パネル５０とバルコニー正面壁用壁パネル３０との接合部分を示した縦断面図であり、図６は床パネル５０とバルコニー側壁用壁パネル１０との接合部分を示した縦断面図であり、図７はバルコニー側壁用壁パネル１０，１０及びバルコニー正面壁用壁パネル３０の平面図であり、図８はバルコニー１の施工場所にバルコニー正面壁用壁パネル３０をクレーンで搬送する様子を示した斜視図である。
【００２６】
バルコニー用床パネル５０は、バルコニー１の床部を構成するものであって、建物２においてバルコニー１が設けられる階層の床部を構成する床パネルと連続または面一となって接合される。
そして、バルコニー用床パネル５０は、框材５１・・・を矩形枠状に組み付け、その内側に補強桟材を縦、横もしくは縦横に組み付けてなる枠体の表面に合板等の面材５２を取り付けることで構成されている。
また、図示しないが、バルコニー用床パネル５０には、バルコニー用壁パネル５０をバルコニー施工場所に搬送するクレーンのワイヤーの先端に設けられたフックが挿入される吊り穴が形成されている。
【００２７】
バルコニー正面壁用壁パネル３０は、バルコニー１の正面側の壁を構成するものであり、壁パネル３１、外壁仕上材３２、延出板３４、防水シート３９等から構成されている。
壁パネル３１は、框材を矩形枠状に組み付け、その内側に補強桟材を縦、横もしくは縦横に組み付けてなる枠体の表裏両面に合板等の面材を取り付けることで構成されている壁パネルを複数枚連結したものである。そして、この壁パネル３１の端部を構成する框材からなる枠体を枠体３１ａとし、壁パネル３１の表面を構成する面材を面材３１ｂとし、壁パネル３１の裏面を構成する面材を面材３１ｃとする。
【００２８】
壁パネル３１の裏面を構成する面材３１ｃの上端部には、壁パネル３１をバルコニー施工場所に搬送するクレーンのワイヤー５の先端に設けられたフックが挿入される吊り穴３８が２つ形成されており、面材３１ｃの下端部には、壁パネル３１をバルコニー床パネル５０に接合する際に、接合部材（後述する胴差ボルト７０、座金７４、ナット７３）を挿入し締め付け操作するための穴３６が複数形成されている。
【００２９】
延出板３４は、合板で構成されており、壁パネル３１の表面を構成する面材３１ｂの下端部に、壁パネル３１の下端から下方に延出しかつ壁パネル３１の両側端から側方に延出するようにして設けられている。
なお、延出板３４からビス３５・・・を壁パネル３１に打ち込むことで、延出板３４が壁パネル３１に固定されている。なお、図２では、ビス３５・・・の一部のみ示しているが、実際には、延出板の長さ方向に複数設けられている。
また、延出板３４の厚さは、後述する胴縁３２，３２の厚さ以下となっている。
【００３０】
外壁仕上材３３は、胴縁３２，３２を介して面材３１ｂに設けられており、その素材は軽量気泡コンクリートである。
外壁仕上材３３は、面材３１ｂ及び桁材２０の側面を覆っており、かつ、その下端部３３ａが壁パネル３１の下端から下方に突出しているが、前記下端部３３ａは、前記延出板３４の下端部３４ａより上方に配置されている。なお、図２では外壁仕上材３３を一部省略して示している。
【００３１】
防水シート３９は、面材３１ｂの上端部に、壁パネル３１の上端から上方に延出するようにして設けられている。
そして、防水シート３９が壁パネル３１の上端から上方に延出している部分（延出部分３９ａ）の長さは、延出部分３９ａで桁材２０の上側端面から壁パネル３１の面材３１ｃの上端部にわたって覆い、かつ、吊り穴３８，３８を覆うことができる程度の長さになっている。
また、防水シート３９は壁パネル３１の両側端から側方に延出しているが、この側方延出部分は、バルコニー正面壁用壁パネル３０をバルコニー側壁用壁パネル１０に接合した際に、該接合部分を覆って防水加工するのに用いられる。
なお、延出部分３９ａ及び側方延出部分は、現場でバルコニーの防水加工を行うまでは折り畳まれており、作業の邪魔にならないようになっている。
【００３２】
また、壁パネル３１の上側端面には、桁材４０が該上側端面を覆うようにして設けられており、壁パネル３１の両側端面には、接合桁４１が壁パネル３１の上端から下端にわたって設けられており、面材３１ｃには、吊り穴３８，３８及び穴３６・・・が形成されている部分を除いて、防水シート３１ｄが貼設されている。
【００３３】
バルコニー側壁用壁パネル１０は、バルコニー１の側壁を構成するものである。
このバルコニー正面壁用壁パネル３０の構成は、バルコニー側壁用壁パネル１０の構成とほぼ同様となっている。すなわち、このバルコニー側壁用壁パネル１０は、壁パネル１１、外壁仕上材１２、延出板１４、防水シート１９等から構成されている。
【００３４】
壁パネル１１は、框材を矩形枠状に組み付け、その内側に補強桟材を縦、横もしくは縦横に組み付けてなる枠体１１ａの表裏両面に合板等の面材１１ｂ，１１ｃを取り付けることで構成されている。
そして、壁パネル１１の裏面を構成する面材１１ｃの上端部には、壁パネル１１をバルコニー施工場所に搬送するクレーンのワイヤーの先端に設けられたフックが挿入される吊り穴１８が２つ形成されており、面材１１ｃの下端部には、壁パネル１１をバルコニー床パネル５０に接合する際に、接合部材（後述する胴差ボルト６０、座金６３、ナット６４）を挿入し締め付け操作するための穴１６が複数形成されている。
【００３５】
延出板１４は、合板で構成されており、壁パネル１１の表面を構成する面材１１ｂの下端部に、壁パネル１１の下端から下方に延出しかつ壁パネル１１の両側端から側方に延出するようにして設けられている。
なお、延出板１４からビス１５・・・を壁パネル１１に打ち込むことで、延出板１４が壁パネル１１に固定されている。なお、図４ではビス１５を省略して示している。
また、延出板１４の厚さは、後述する胴縁１２，１２の厚さ以下となっている。
そして、延出板１４の上方において、面材１１ｂの一方の側端に、合板で構成されたガセット２１が壁パネル１１の一方の側端から側方に延出するようにして設けられており、面材１１ｂの他方の側端に、当接板２２が設けられている。
【００３６】
そして、胴縁１２，１２が面材１１ｂのガセット２１の側縁部から当接板２２の側縁部にわたって設けられており、外壁仕上材１３は、この胴縁１２，１２を介して面材１１ｂに設けられている。
外壁仕上材１３は、面材１１ｂ及び桁材２０の側面を覆っており、かつ、その下端部１３ａが壁パネル１１の下端から下方に突出しているが、前記下端部１３ａは、前記延出板１４の下端部１４ａより上方に配置されている。なお、図２では外壁仕上材１３を省略して示している。なお、外壁仕上材１３の素材は軽量気泡コンクリートである。なお、図４では外壁仕上材１３を省略している。
【００３７】
防水シート１９は、面材１１ｂの上端部に、壁パネル１１の上端から上方に延出するようにして設けられている。
そして、防水シート１９が壁パネル１１の上端から上方に延出している部分（延出部分１９ａ）の長さは、延出部分１９ａで桁材２０の上側端面から壁パネル１１の面材１１ｃの上端部にわたって覆うことができ、かつ、吊り穴１８，１８を覆うことができる程度の長さになっている。
【００３８】
また、防水シート１９は壁パネル１１の一方の側端から側方に延出しているが、この側方延出部分は、バルコニー側壁用壁パネル１０をバルコニー正面壁用壁パネル３０に接合した際に、該接合部分を覆って防水加工するのに用いられる。なお、延出部分１９ａ及び側方延出部分は、現場でバルコニーの防水加工を行うまでは折り畳まれており、作業の邪魔にならないようになっている。
また、壁パネル１１の上側端面には、桁材２０が該上側端面を覆うようにして設けられており、面材１１ｃには、吊り穴１８，１８及び穴１６・・・が形成されている部分を除いて、防水シート１１ｄが貼設されている。
【００３９】
つぎに、バルコニー１の施工方法について図５〜図９に基づいて説明する。
バルコニー正面壁用壁パネル３０、バルコニー側壁用壁パネル１０，１０、バルコニー用床パネル５０は、クレーンで吊り上げてバルコニー１の施工場所に搬送される。
具体的には、図６に示すように、バルコニー正面壁用壁パネル３０を搬送する場合であれば、吊り穴３８，３８にクレーンに取り付けられたワイヤー５の先端のフックを挿入して該フックを引っかけることによりワイヤー５をバルコニー側壁用壁パネル３０に固定した後、クレーンでバルコニー正面壁用壁パネル３０を吊り上げる。
【００４０】
同様に、バルコニー側壁用壁パネル１０を搬送する場合であれば、吊り穴１８，１８にクレーンに取り付けられたワイヤーの先端のフックを挿入して該フックを引っかけることによりワイヤーをバルコニー側壁用壁パネル１０に固定した後、クレーンでバルコニー側壁用壁パネル１０を吊り上げる。また、バルコニー用床パネル５０をバルコニー１の施工場所に搬送する場合も同様である。
【００４１】
バルコニー１の施工場所に搬送されたバルコニー用床パネル５０は、建物２においてバルコニー１が設けられる階層の床部を構成する床パネルと連続または面一となって接合される。そして、バルコニー用床パネル５０端面のうち、バルコニー１の側面側の端面には胴差５３，５３が接合され、バルコニー１の正面側の端面には胴差５４が接合される。
【００４２】
そして、バルコニー正面壁用壁パネル３０と、バルコニー用床パネル５０とは以下のようにして接合される。なお、バルコニー正面壁用壁パネル３０と、バルコニー用床パネル５０とを接合する際に、バルコニー下壁パネル１１０がバルコニー用床パネル５０に接合される。
【００４３】
ここで、バルコニー下壁パネル１１０は、框材を矩形枠状に組み付け、その内側に補強桟材を縦、横もしくは縦横に組み付けてなる枠体の表裏両面に合板等の面材を取り付けることで構成されている壁パネルを複数枚連結した壁パネルの表面を構成する合板に、胴縁１１２，１１２を介して外壁仕上材１１３を取り付けたものである。また、壁パネルの表面上端部には外壁仕上材１１３によって覆われていない未艤装部分があり、この部分には胴縁１１１が設けられている。
【００４４】
バルコニー用床パネル５０の框材５１と胴差５４との接合部分に、該接合部分の上端部から下端部に連通するボルト穴５８を形成する。一方、壁パネル３１の下端部を構成する框材にボルト穴を形成しておくとともに、バルコニー下壁パネル１１０の上端部を構成する框材１１０ａにボルト穴を形成しておく。また、バルコニー下壁パネル１１０の裏面上端部に、後述する胴差ボルト７０等の接合部材を挿入し締め付け操作するための穴を形成しておく。
【００４５】
そして、バルコニー下壁パネル１１０の上端面を、バルコニー床パネル５０及び胴差５４の下端面に、框材１１０ａのボルト穴がボルト穴５８と連通するようにして突き当てる。ついで胴差ボルト７０を、バルコニー下壁パネル１１０の裏面の穴から挿入し、框材１１０ａのボルト穴及びボルト穴５８を通して、バルコニー用床パネル５０の上端部から突出させる。
ついで、前記穴から座金７１及びナット７２を挿入し、胴差ボルト７０に座金７１を外挿するとともナット７２を螺合して、ナット７２を締め付ける。なお、締め付けにはラジェットレンチを用いる。
【００４６】
ついで、バルコニー正面壁用壁パネル３０を、胴差ボルト７０の突出部が前記壁パネル３１の下端部を構成する框材のボルト穴を貫通し、かつ延出板３４が胴差５４に当接した状態でバルコニー用床パネル５０の上面縁部に設置し、胴差ボルト７０をバルコニー正面壁用壁パネル３０の内部に突出させる。
ついで、突出した胴差ボルト７０に、前記穴３６から座金７４及びナット７３を挿入して、座金７４を胴差ボルト７０に外挿するとともに、ナット７３を螺合し、ラジェットレンチを穴３６から挿入して締め付ける。
【００４７】
ついで、バルコニー正面壁用壁パネル３０の内側からバルコニー用床パネル５０に向かって釘７５を打ち込むとともに、延出板３４の下端部３４ａから胴差５４に向かって釘３４ｂを打ち込む。
上記のような接合構造を複数箇所に形成することで、バルコニー正面壁用壁パネル３０及びバルコニー下壁パネル１１０と、バルコニー用床パネル５０とを接合する。
ここで、バルコニー正面壁用壁パネル３０の穴３６は、バルコニー１の内側を向くので、作業者はバルコニー用床パネル５０上で接合作業を行うことができる。
【００４８】
そして、バルコニー側壁用壁パネル１０とバルコニー用床パネル５０との接合は、前記バルコニー正面壁用壁パネル３０とバルコニー用床パネル５０との接合と同様に行う。なお、バルコニー側壁用壁パネル１０と、バルコニー用床パネル５０とを接合する際に、バルコニー下壁パネル１２０がバルコニー用床パネル５０に接合される。
【００４９】
ここで、バルコニー下壁パネル１２０は、框材を矩形枠状に組み付け、その内側に補強桟材を縦、横もしくは縦横に組み付けてなる枠体の表裏両面に合板等の面材を取り付けることで構成されている壁パネルを複数枚連結した壁パネルの表面を構成する合板に、胴縁１２２，１２２を介して外壁仕上材１２３を取り付けたものである。また、壁パネルの表面上端部には外壁仕上材１２３によって覆われていない未艤装部分があり、この部分には胴縁１２１が設けられている。
【００５０】
バルコニー用床パネル５０の框材５１と胴差５３との接合部分に、該接合部分の上端部から下端部に連通するボルト穴５６を形成する。一方、壁パネル１１の下端部を構成する框材にボルト穴を形成しておくとともに、バルコニー下壁パネル１２０の上端部を構成する框材１２０ａにボルト穴を形成しておく。また、バルコニー下壁パネル１２０の裏面上端部に、後述する胴差ボルト６０等の接合部材を挿入し締め付け操作するための穴を形成しておく。
【００５１】
そして、バルコニー下壁パネル１２０の上端面を、バルコニー床パネル５０及び胴差５３の下端面に、框材１２０ａのボルト穴がボルト穴５６と連通するようにして突き当てる。ついで胴差ボルト６０を、バルコニー下壁パネル１２０の裏面の穴から挿入し、框材１２０ａのボルト穴及びボルト穴５６を通して、バルコニー用床パネル５０の上端部から突出させる。
ついで、前記穴から座金６１及びナット６２を挿入し、胴差ボルト６０に座金６１を外挿するとともナット６２を螺合して、ナット６２を締め付ける。なお、締め付けにはラジェットレンチを用いる。
【００５２】
ついで、バルコニー側壁用壁パネル１０を、胴差ボルト６０の突出部が前記壁パネル１１の下端部を構成する框材のボルト穴を貫通し、かつ延出板１４が胴差５３に当接した状態でバルコニー用床パネル５０の上面縁部に設置し、胴差ボルト６０をバルコニー側壁用壁パネル１０の内部に突出させる。
ついで、突出した胴差ボルト６０に、前記穴１６から座金６３及びナット６４を挿入して、座金６３を胴差ボルト６０に外挿するとともに、ナット６４を螺合し、ラジェットレンチを穴１６から挿入して締め付ける。
【００５３】
ついで、バルコニー側壁用壁パネル１０の内側からバルコニー用床パネル５０に向かって釘６５を打ち込むとともに、延出板１４の下端部１４ａから胴差５３に向かって釘１４ｂを打ち込む。
上記のような接合構造を複数箇所に形成することで、バルコニー側壁用壁パネル１０と、バルコニー用床パネル５０とを接合する。
ここで、バルコニー側壁用壁パネル１０の穴１６は、バルコニー１の内側を向くので、作業者はバルコニー用床パネル５０上で接合作業を行うことができる。
【００５４】
そして、バルコニー正面壁用壁パネル３０及びバルコニー側壁用壁パネル１０，１０と、バルコニー用床パネル５０とを接合する一方で、バルコニー正面壁用壁パネル３０とバルコニー側壁用壁パネル１０，１０とを接合する。
すなわち、図６に示すように、バルコニー正面壁用壁パネル３０の側面の両縁部に、それぞれバルコニー側壁用壁パネル１０の一方の側端面を、ガセット２１がバルコニー正面壁用壁パネル３０の接合桁４１，４１の側端面に当接した状態で当接するとともに当接部分を接着剤で固定する。
【００５５】
ついで、バルコニー正面壁用壁パネル３０からバルコニー側壁用壁パネル１０，１０にわたって釘等の止着材を打ち込むとともに、ガセット２１，２１から接合桁４１，４１に向かって釘等の止着材を打ち込む。
この作業により、バルコニー正面壁用壁パネル３０とバルコニー側壁用壁パネル１０，１０とを接合する。
ついで、バルコニー側壁用壁パネル１０，１０の他方の側端面を、建物２の外壁２ａに接合する。
【００５６】
ついで、バルコニー１の防水加工を行う。
バルコニー１の壁部の上端部は、バルコニー正面壁用壁パネル３０及びバルコニー側壁用壁パネル１０，１０の防水シート１９，１９，３９の延出部分１９ａ，１９ａ，３９ａを、壁パネル１１，１１，３１の上端部から面材１１ｃ，１１ｃ，３１ｃの上端部にわたって覆うようにして、防水シート１１ｄ，１１ｄ，３１ｄに取り付けることで、防水加工される。ここで、延出部分１９ａ，１９ａ，３９ａは、吊り穴１８・・・，３８，３８を覆うようにして取り付ける。
また、バルコニー正面壁用壁パネル３０及びバルコニー側壁用壁パネル１０，１０との接合部分の上端部は、防水シート１９，１９，３９の側方延出部分を、前記接合部分の上端部に取り付けることで、防水加工される。
【００５７】
バルコニー１の床部及びバルコニー１の壁部の下端部は、以下のようにして防水加工される。
すなわち、図５及び図６に示すように、上端部が長さ方向に勾配している勾配板材８０を、その上端部がバルコニー正面壁用壁パネル３０に向かって下向きに勾配するようにして、バルコニー用床パネル５０上に複数設ける。ついで、勾配板材８０・・・の先端部どうしを框材で連結し、一方、勾配板材８０・・・の基端部どうしを框材で連結する。ここで、勾配板材８０・・・は、バルコニー正面壁用壁パネル３０との間に所定の隙間を開けて設けられるが、この隙間が排水溝８１となる。なお、この排水溝８１には、排水をバルコニー１外部に排出するための排出穴が一又は複数設けられる。
【００５８】
ついで、勾配板材８０・・・の上方から、勾配板材８０を覆うようにして合板を取り付け、この合板の表面と、排出溝８１と、バルコニー正面壁用壁パネル３０及びバルコニー側壁用壁パネル１０，１０の面材１１ｃ，１１ｃ，３１ｄの下端部とにわたって、すなわち、バルコニー１の床部の表面及び壁部の内側面の下端部にわたって、防水シート（塩ビシート）９０を防水シート１１ｄ，３１ｄに溶着することで、防水加工される。ここで、防水シート９０は、面材１１ｃ，１１ｃ，３１ｃに形成されている穴１６・・・，３６・・・を覆うようにして、溶着される。
【００５９】
そして、バルコニー１の仕上げを行う。
すなわち、図９に示すように、バルコニー１の内側を向く面に内装仕上げ材を設け、外壁仕上材１３，１３，３３の下方において、延出板１４，１４，３４の下端部１４ａ，１４ａ，３４ａ、胴差５３，５３，５４、バルコニー下壁パネル１１０の未艤装部分及びバルコニー下壁パネル１２０の未艤装部分を覆うようにして、幕板１００，１００，１０１を設ける。さらに、バルコニー正面壁用壁パネル３０の表面両側縁部に幕板１０２，１０２を設ける。
一方、バルコニー側壁用壁パネル１０，１０及びバルコニー正面壁用壁パネル３０の上端部にわたって、手摺３を設ける。
以上の作業により、建物２にバルコニー１が施工される。
【００６０】
以上により、本実施の形態によれば、バルコニー側壁用壁パネル１０及びバルコニー正面壁用壁パネル３０において、壁パネル１１，３１の面材１１ｂ，３１ｂの下端部に、延出板１４，３４を壁パネル１１，３１の下端から下方に延出するようにして設け、かつ、壁パネル１１，３１の下端から下方に突出した外壁仕上材１３，３３の下端部１３ａ，３３ａは、延出板１４，３４の下端より上方に配置されているので、外壁仕上材１３，３３の下端部１３ａ，３３ａがその裏側から延出板１４，３４によって補強されることになる。したがって、バルコニー側壁用壁パネル１０及びバルコニー正面壁用壁パネル３０を搬送したり取り扱う際に、外壁仕上材１３，３３の下端部１３ａ，３３ａにある程度の外力が作用しても、この外力に耐えることができる。よって、外壁仕上材１３，３３をその下端部１３ａ，３３ａが壁パネル１１，３１の下端から下方に突出させて壁パネル１１，３１に予め取り付けた状態で、バルコニー１を施工することができる。
【００６１】
また、外壁仕上材１３，３３が、胴縁１２，１２，３２，３２を介して壁パネル１１，３１の表面に設けられており、延出板１４，３４の厚さが、胴縁１２，１２，３２，３２の厚さ以下とされているので、壁パネル１１，３１の表面と、外壁仕上材１３，３３との間隔を胴縁１２，１２，３２，３２の厚さに揃えることができる。すなわち、外壁仕上材１３，３３を、胴縁１２，１２，３２，３２を介して壁パネル１１，３１の表面に設けることで、延出板１４，３４の厚さによらず壁パネル１１，３１に対する外壁仕上材１３，３３の位置を一定にできる。
【００６２】
さらに、壁パネル１１，３１の面材１１ｂ、３１ｂの上端部に、防水シート１９，３９が壁パネル１１，３１の上端から上方に延出するようにして設けられているので、防水シート１９，３９の延出部分１９ａ，３９ａを、壁パネル１１，３１の上端部から面材１１ｃ，３１ｃの上端部にわたって覆うようにして取り付けることで、壁パネル１１，３１の上端部防水加工を容易に行うことができる。
【００６３】
また、バルコニー１を施工するに際し、バルコニー用床パネル５０の上面縁部に、バルコニー側壁用壁パネル１０及びバルコニー正面壁用壁パネル３０を、延出板１４，３４が胴差５３，５４の端面に当接した状態で設置したので、バルコニー用床パネル５０に対するバルコニー側壁用壁パネル１０及びバルコニー正面壁用壁パネル３０の位置決めを容易かつ確実に行うことができる。また、この状態で、延出板１４，３４の下端部１４ａ，３４ａから胴差５３，５４の端面に向かって釘１４ｂ，３４ｂを打ち込むことで、延出板１４，３４を胴差５３，５４に固定することができる。さらに、この状態では、外壁仕上材１３，３３の下端部１３ａ，３３ａが胴差５４，５５の端面の一部を覆っているので、現場で外壁仕上材を設ける作業を簡略化できる。
【００６４】
また、切り欠き５５，５７からボルト穴５６，５８を通して、バルコニー側壁用壁パネル１０、バルコニー正面壁用壁パネル３０の内部に突出している連結ボルト６０，７０に、穴１６，３６からナット６４，７３を挿入してナット６４，７３を螺合してラジェットレンチで締め付けることにより、バルコニー用床パネル５０とバルコニー側壁用壁パネル１０及びバルコニー正面壁用壁パネル３０とを容易かつ確実に接合できる。
また、面材１１ｃ，３１ｃは、バルコニー１の内側を向くので、作業者はバルコニー１のバルコニー用床パネル５０上で接合作業を行うことができ、よって安全に接合作業を行うことができる。
【００６５】
なお、以上の実施の形態においては、バルコニー１の正面側の壁をバルコニー正面壁用壁パネル３０を一つだけ用いて構築するものとしたが、本発明はこれに限定されるものではなく、複数のバルコニー正面壁用壁パネルを用いてバルコニー１の正面側の壁を構築してもよい。
この場合、図１０に示すように、バルコニー正面壁用壁パネル３０において、壁パネル３１の一方の側端面に接合桁４１を設ける代わりに、合板で構成されたガセット４２が、壁パネル３１の一方の側端から側方に延出するようにして設けられたバルコニー正面壁用壁パネル３０ａを用いる。なお、図１０は、バルコニー正面壁用壁パネル３０ａとバルコニー正面壁用壁パネル３０ｂとの接合部分を示した図である。
【００６６】
そして、他のバルコニー正面壁用壁パネル３０ｂの一方の側端面に、このバルコニー正面壁用壁パネル３０ａの一方の側端面を、ガセット４２の延出部分を他のバルコニー正面壁用壁パネル３０ｂの表面に当接させた状態で当接し、接着剤や釘等の止着材で当接部分を固定するとともに、前記ガセット４２の延出部分から他のバルコニー正面壁用壁パネル３０ｂに釘等の止着材を打ち込むことで、バルコニー正面壁用壁パネルどうしを接合する。
【００６７】
【発明の効果】
以上のように、請求項１記載の発明に係るバルコニー用壁パネルによれば、前記外壁仕上材の下端部がその裏側から延出板によって補強されることになるので、このようなバルコニー用壁パネルを搬送したり取り扱う際に、外壁仕上材の下端部にある程度の外力が作用しても、この外力に耐えることができる。よって、外壁仕上材をその下端部が壁パネルの下端部から下方に突出させた状態で壁パネルに予め取り付けた状態で、バルコニーを施工することができる。
【００６８】
また、このようなバルコニー用壁パネルを、バルコニーの床部の上面縁部に、前記延出板を前記床部の端面に当接した状態で設置し、この状態で前記床部とバルコニー用壁パネルとを連結することで、前記外壁仕上材の下端部が床部の端面の少なくとも一部を覆った状態でバルコニーの壁を構築することができる。したがって、現場で外壁仕上材を設ける作業を省略または簡略化できる。また、前記延出板の下端には、前記外壁仕上材の下端部より下方に延出している露出部が設けられているので、前記延出板を前記床部の端面に当接した状態で、前記延出板の露出部から前記床部の端面に向かって釘等の止着材を打ち込むことで、前記延出板を前記床部に固定することができる。
【００６９】
請求項２記載の発明に係るバルコニー用壁パネルによれば、請求項１と同様の効果を得ることができるのは勿論のこと、前記外壁仕上材が、胴縁を介して前記壁パネルの表面に設けられており、前記延出板の厚さが、前記胴縁の厚さ以下とされているので、前記壁パネルの表面と、前記外壁仕上材との間隔を前記胴縁の厚さに揃えることができる。すなわち、前記外壁仕上材を、胴縁を介して前記壁パネルの表面に設けることで、前記延出板の厚さによらず前記壁パネルに対する前記外壁仕上材の位置を一定にできる。
【００７０】
請求項３記載の発明に係るバルコニー用壁パネルによれば、請求項１または２と同様の効果を得ることができるのは勿論のこと、前記防水シートの延出部分を、前記壁パネルの上端部から裏面の少なくとも上端部にわたって覆うようにして取り付けることで、壁パネルの上端部防水加工を容易に行うことができる。
【００７１】
請求項４記載の発明に係るバルコニー用壁パネルによれば、請求項１〜３のいずれかと同様の効果を得ることができるのは勿論のこと、バルコニーの床部の上面縁部に、前記バルコニー用壁パネルを前記延出板が前記床部の端面に当接された状態で設置し、この状態で前記床部とバルコニー用壁パネルとを接合するに際し、前記穴から接合部材を挿入して締め付けることで、前記床部と前記バルコニー用壁パネルとを接合できる。
また、前記壁パネルの裏面は、バルコニーの内側を向くので、作業者はバルコニーの床部上で接合作業を行うことができ、よって安全に接合作業を行うことができる。
【００７２】
請求項５記載の発明に係るバルコニー用壁パネルと床部との接合構造によれば、前記床部の上面縁部には、前記バルコニー用壁パネルがその延出板を前記床部の端面に当接した状態で設置されているので、床部に対するバルコニー用壁パネルの位置決めを容易かつ確実に行うことができる。また、前記外壁仕上材の下端部が前記床部の端面の少なくとも一部を覆った状態となっているので、現場で外壁仕上材を設ける作業を省略または簡略化できる。
【００７３】
請求項６記載の発明に係るバルコニー用壁パネルと床部との接合構造によれば、前記床部の上面縁部には、前記バルコニー用壁パネルがその延出板を前記床部の端面に当接した状態で設置されているので、床部に対するバルコニー用壁パネルの位置決めを容易かつ確実に行うことができる。また、前記外壁仕上材の下端部が前記床部の端面の少なくとも一部を覆った状態となっているので、現場で外壁仕上材を設ける作業を省略または簡略化できる。
【００７４】
また、前記床部の下面からバルコニー用壁パネルを貫通して、該バルコニー用壁パネルの内部に突出している連結ボルトに、前記穴からナットを挿入して該ナットを螺合して締め付けることにより、前記床部と前記バルコニー用壁パネルとを容易かつ確実に接合できる。
また、前記壁パネルの裏面は、バルコニーの内側を向くので、作業者はバルコニーの床部上で接合作業を行うことができ、よって安全に接合作業を行うことができる。
【図面の簡単な説明】
【図１】本発明を適用した一例としてのバルコニー正面壁用壁パネルの縦断面図である。
【図２】同、バルコニー正面壁用壁パネルの正面図である。
【図３】同、バルコニー側壁用壁パネルの縦断面図である。
【図４】同、バルコニー側壁用壁パネルの正面図である。
【図５】同、バルコニー用床パネルとバルコニー正面壁用壁パネルとの接合部分を示した縦断面図である。
【図６】同、バルコニー用床パネルとバルコニー側壁用壁パネルとの接合部分を示した縦断面図である。
【図７】同、バルコニー側壁用壁パネル及びバルコニー正面壁用壁パネルの平面図である。
【図８】同、バルコニーの施工場所にバルコニー正面壁用壁パネルをクレーンで搬送する様子を示した斜視図である。
【図９】バルコニーの外観を示した斜視図である。
【図１０】実施の形態の例外としての、バルコニー正面壁用壁パネルどうしの接合部分を示した図である。
【符号の説明】
１      バルコニー
１０    バルコニー側壁用壁パネル（バルコニー用壁パネル）
１１，３１    壁パネル
１１ｂ，３１ｂ  面材（表面）
１１ｃ，３１ｃ  面材（裏面）
１２，３２    胴縁
１３，３３    外壁仕上材
１３ａ．３３ａ  外壁仕上材の下端部
１４，３４    延出板
１６，３６    穴
１９，３９    防水シート
３０，３０ａ，３０ｂ    バルコニー正面壁用壁パネル（バルコニー用壁パネル）
６０，７０    胴差ボルト（接合部材）
６３，７４    座金（接合部材）
６４，７３    ナット（接合部材）
【図１】
0004355066.tif 000002
【図２】
0004355066.tif 000003
【図３】
0004355066.tif 000004
【図４】
0004355066.tif 000005
【図５】
0004355066.tif 000006
【図６】
0004355066.tif 000007
【図７】
0004355066.tif 000008
【図８】
0004355066.tif 000009
【図９】
0004355066.tif 000010
【図１０】
0004355066.tif 000011